(57)【特許請求の範囲】
【請求項１】
原稿画像を読み取ることによって画像データを生成する手段を備え、着脱自在な記憶媒体を装着することが可能であり、装着された記憶媒体に画像データを記憶させる情報処理装置において、
生成した画像データを一旦記憶する画像メモリと、
装着された記憶媒体の空き容量が、生成した画像データを記憶するために十分な空き容量であるか否かを判定する手段と、
前記記憶媒体の空き容量が十分であると判定された場合に、前記画像メモリに記憶した画像データを前記記憶媒体に記憶させる手段と、
前記記憶媒体の空き容量が十分でないと判定された場合に、画像データの転送先を示す転送先情報を前記記憶媒体が記憶しているか否かを判定する手段と、
転送先情報を前記記憶媒体が記憶していると判定された場合に、前記記憶媒体が記憶している転送先情報が示す転送先へ、前記画像メモリに記憶した画像データを転送する手段と
を備えることを特徴とする情報処理装置。
【請求項２】
原稿画像を読み取ることによって画像データを生成する手段を備え、着脱自在な記憶媒体を装着することが可能であり、装着された記憶媒体に画像データを記憶させる情報処理装置において、
生成した画像データを一旦記憶する画像メモリと、
装着された記憶媒体の空き容量が、生成した画像データを記憶するために十分な空き容量であるか否かを判定する手段と、
前記記憶媒体の空き容量が十分であると判定された場合に、前記画像メモリに記憶した画像データを前記記憶媒体に記憶させる手段と、
前記記憶媒体の空き容量が十分でないと判定された場合に、前記記憶媒体を認証するための第１認証情報を前記記憶媒体が記憶しているか否かを判定する手段と、
前記第１認証情報を前記記憶媒体が記憶していると判定された場合に、前記第１認証情報と画像データの転送先を認証するための第２認証情報とが正当に対応するか否かを判定する判定手段と、
前記第１認証情報と前記第２認証情報とが正当に対応すると判定された場合に、前記第１認証情報に正当に対応する前記第２認証情報で認証される転送先へ、前記画像メモリに記憶した画像データを転送する手段と
を備えることを特徴とする情報処理装置。
【請求項３】
画像データを記憶することが可能な記憶部と、
該記憶部を認証するための第２認証情報を記憶する手段とを更に備え、
前記転送先は前記記憶部であること
を特徴とする請求項２に記載の情報処理装置。
【請求項４】
前記転送先は外部の記憶装置であり、
前記判定手段は、
外部の記憶装置から送信された第２認証情報を受信する手段と、
前記第１認証情報と受信した第２認証情報とが正当に対応するか否かを判定する手段と
を有することを特徴とする請求項２又は３に記載の情報処理装置。
【請求項５】
前記転送先は外部の記憶装置であり、
前記判定手段は、
前記第１認証情報を前記外部の記憶装置へ送信する手段と、
前記外部の記憶装置から、前記第１認証情報と前記記憶装置を認証するための第２認証情報とが正当に対応するか否かを判定した判定結果を受信する手段と
を有することを特徴とする請求項２乃至４のいずれか一つに記載の情報処理装置。
【請求項６】
記憶媒体が装着された状態で、転送先へ転送された画像データの読み出しの指示を受け付ける手段と、
該手段が前記指示を受け付けた場合に、前記判定手段に、前記第１認証情報と前記転送先を認証するための第２認証情報とが正当に対応するか否かを判定させる手段と、
前記第１認証情報と前記第２認証情報とが正当に対応すると判定された場合に、前記第１認証情報に正当に対応する前記第２認証情報で認証される転送先から画像データを取得する手段と
を更に備えることを特徴とする請求項２乃至５のいずれか一つに記載の情報処理装置。
【請求項７】
原稿画像を読み取ることによって画像データを生成する手段を備え、装着された記憶媒体に画像データを記憶させる情報処理装置と、該情報処理装置に接続された記憶装置とを含む情報処理システムにおいて、
前記情報処理装置は、
生成した画像データを一旦記憶する画像メモリと、
装着された記憶媒体の空き容量が、生成した画像データを記憶するために十分な空き容量であるか否かを判定する手段と、
前記記憶媒体の空き容量が十分であると判定された場合に、前記画像メモリに記憶した画像データを前記記憶媒体に記憶させる手段と、
前記記憶媒体の空き容量が十分でないと判定された場合に、前記記憶媒体を認証するための第１認証情報を前記記憶媒体が記憶しているか否かを判定する手段と、
前記第１認証情報を前記記憶媒体が記憶していると判定された場合に、前記第１認証情報を前記記憶装置へ送信する手段とを備え、
前記記憶装置は、
前記記憶装置を認証するための第２認証情報を記憶する手段と、
前記情報処理装置から受信した前記第１認証情報と前記第２認証情報とが正当に対応するか否かを判定する手段と、
該手段による判定結果を前記情報処理装置へ送信する手段とを備え、
前記情報処理装置は、更に、
前記記憶装置から受信した前記判定結果が、前記第１認証情報と前記第２認証情報とが正当に対応すると判定された結果である場合に、前記画像メモリに記憶した画像データを前記記憶装置へ送信する手段を備え、
前記記憶装置は、更に、
前記情報処理装置から受信した画像データを記憶する手段を備えること
を特徴とする情報処理システム。
【発明の詳細な説明】
【技術分野】
【０００１】
本発明は、画像の読み取りによって生成した画像データ等のデータをＵＳＢメモリ等の記憶媒体に記憶させることが可能な情報処理装置及び情報処理システムに関する。
【背景技術】
【０００２】
原稿画像を走査して画像データを作成するスキャナ機能、画像を複写する複写機能、パーソナルコンピュータ（ＰＣ）等の外部の装置から画像データを受信して画像を出力するプリンタ機能等、複数の機能を一台に備えた画像処理装置が実用化されており、複合機と呼ばれている。このような画像処理装置は、処理すべき画像データを一時的に記憶するハードディスク等の記憶部を内部に備えている。また画像データの一時的な記憶にとどまらず、画像データを記憶装置に保存する画像処理装置、又は画像データをＵＳＢ（Universal Serial Bus）メモリ等の記憶媒体に記憶させることが可能な画像処理装置も実用化されている。特許文献１には、通信ネットワークを介して接続された外部の記憶装置に画像データを記憶させることができる画像処理装置が開示されている。
【特許文献１】特開平１１−２７２５７６号公報
【発明の開示】
【発明が解決しようとする課題】
【０００３】
ところで、ＵＳＢメモリ等の記憶媒体に画像データを記憶させる画像処理装置では、画像データは一般的にサイズが大きいので、記憶媒体の記憶容量が不足して画像データを記憶することができないことがある。この場合には、記憶媒体を十分な記憶容量を有する他の記憶媒体に交換するか、又は画像処理装置内の記憶部若しくは画像処理装置に接続された外部の記憶装置に画像データを記憶させる必要があり、そのために使用者が行うべき操作が煩雑であるという問題がある。
【０００４】
本発明は、斯かる事情に鑑みてなされたものであって、その目的とするところは、記憶媒体がデータを記憶できない場合に自動でデータを他の記憶手段に記憶させることにより、より手軽に利用することができるようになる情報処理装置及び情報処理システムを提供することにある。
【課題を解決するための手段】
【０００５】
本発明に係る情報処理装置は、原稿画像を読み取ることによって画像データを生成する手段を備え、着脱自在な記憶媒体を装着することが可能であり、装着された記憶媒体に画像データを記憶させる情報処理装置において、生成した画像データを一旦記憶する画像メモリと、装着された記憶媒体の空き容量が、生成した画像データを記憶するために十分な空き容量であるか否かを判定する手段と、前記記憶媒体の空き容量が十分であると判定された場合に、前記画像メモリに記憶した画像データを前記記憶媒体に記憶させる手段と、
前記記憶媒体の空き容量が十分でないと判定された場合に、画像データの転送先を示す転送先情報を前記記憶媒体が記憶しているか否かを判定する手段と、転送先情報を前記記憶媒体が記憶していると判定された場合に、前記記憶媒体が記憶している転送先情報が示す転送先へ、前記画像メモリに記憶した画像データを転送する手段とを備えることを特徴とする。
【０００６】
本発明に係る情報処理装置は、原稿画像を読み取ることによって画像データを生成する手段を備え、着脱自在な記憶媒体を装着することが可能であり、装着された記憶媒体に画像データを記憶させる情報処理装置において、生成した画像データを一旦記憶する画像メモリと、装着された記憶媒体の空き容量が、生成した画像データを記憶するために十分な空き容量であるか否かを判定する手段と、前記記憶媒体の空き容量が十分であると判定された場合に、前記画像メモリに記憶した画像データを前記記憶媒体に記憶させる手段と、前記記憶媒体の空き容量が十分でないと判定された場合に、前記記憶媒体を認証するための第１認証情報を前記記憶媒体が記憶しているか否かを判定する手段と、前記第１認証情報を前記記憶媒体が記憶していると判定された場合に、前記第１認証情報と画像データの転送先を認証するための第２認証情報とが正当に対応するか否かを判定する判定手段と、前記第１認証情報と前記第２認証情報とが正当に対応すると判定された場合に、前記第１認証情報に正当に対応する前記第２認証情報で認証される転送先へ、前記画像メモリに記憶した画像データを転送する手段とを備えることを特徴とする。
【０００７】
本発明に係る情報処理装置は、画像データを記憶することが可能な記憶部と、該記憶部を認証するための第２認証情報を記憶する手段とを更に備え、前記転送先は前記記憶部であることを特徴とする。
【０００８】
本発明に係る情報処理装置は、前記転送先は外部の記憶装置であり、前記判定手段は、外部の記憶装置から送信された第２認証情報を受信する手段と、前記第１認証情報と受信した第２認証情報とが正当に対応するか否かを判定する手段とを有することを特徴とする。
【０００９】
本発明に係る情報処理装置は、前記転送先は外部の記憶装置であり、前記判定手段は、前記第１認証情報を前記外部の記憶装置へ送信する手段と、前記外部の記憶装置から、前記第１認証情報と前記記憶装置を認証するための第２認証情報とが正当に対応するか否かを判定した判定結果を受信する手段とを有することを特徴とする。
【００１０】
本発明に係る情報処理装置は、記憶媒体が装着された状態で、転送先へ転送された画像データの読み出しの指示を受け付ける手段と、該手段が前記指示を受け付けた場合に、前記判定手段に、前記第１認証情報と前記転送先を認証するための第２認証情報とが正当に対応するか否かを判定させる手段と、前記第１認証情報と前記第２認証情報とが正当に対応すると判定された場合に、前記第１認証情報に正当に対応する前記第２認証情報で認証される転送先から画像データを取得する手段とを更に備えることを特徴とする。
【００１２】
本発明に係る情報処理システムは、原稿画像を読み取ることによって画像データを生成する手段を備え、装着された記憶媒体に画像データを記憶させる情報処理装置と、該情報処理装置に接続された記憶装置とを含む情報処理システムにおいて、前記情報処理装置は、生成した画像データを一旦記憶する画像メモリと、装着された記憶媒体の空き容量が、生成した画像データを記憶するために十分な空き容量であるか否かを判定する手段と、前記記憶媒体の空き容量が十分であると判定された場合に、前記画像メモリに記憶した画像データを前記記憶媒体に記憶させる手段と、前記記憶媒体の空き容量が十分でないと判定された場合に、前記記憶媒体を認証するための第１認証情報を前記記憶媒体が記憶しているか否かを判定する手段と、前記第１認証情報を前記記憶媒体が記憶していると判定された場合に、前記第１認証情報を前記記憶装置へ送信する手段とを備え、前記記憶装置は、前記記憶装置を認証するための第２認証情報を記憶する手段と、前記情報処理装置から受信した前記第１認証情報と前記第２認証情報とが正当に対応するか否かを判定する手段と、該手段による判定結果を前記情報処理装置へ送信する手段とを備え、前記情報処理装置は、更に、前記記憶装置から受信した前記判定結果が、前記第１認証情報と前記第２認証情報とが正当に対応すると判定された結果である場合に、前記画像メモリに記憶した画像データを前記記憶装置へ送信する手段を備え、前記記憶装置は、更に、前記情報処理装置から受信した画像データを記憶する手段を備えることを特徴とする。
【００１３】
本発明においては、情報処理装置は、原稿画像の読み取りにより生成した画像データ等のデータをＵＳＢメモリ等の記憶媒体に記憶させることが可能であり、容量不足等により記憶媒体がデータを記憶できない場合に、記憶媒体が記憶する転送先情報が示す転送先へデータを転送し、情報処理装置内の記憶部又は外部の記憶装置等の転送先でデータを記憶させる。
【００１４】
本発明においては、情報処理装置は、原稿画像の読み取りにより生成した画像データ等のデータをＵＳＢメモリ等の記憶媒体に記憶させることが可能であり、容量不足等により記憶媒体がデータを記憶できない場合に、記憶媒体を認証する第１認証情報と転送先を認証する第２認証情報とが正当に対応するか否かを判定し、第１認証情報と対応する第２認証情報が認証する転送先へデータを転送し、転送先でデータを記憶させる。データの転送先は、情報処理装置内の記憶部又は外部の記憶装置である。
【００１５】
また本発明においては、情報処理装置は、記憶媒体がデータを記憶できない場合に、記憶媒体を認証する第１認証情報を外部の記憶装置へ送信し、記憶装置は、第１認証情報と記憶装置を認証する第２認証情報とが正当に対応するか否かを判定し、第１認証情報と第２認証情報とが対応する場合に、情報処理装置は記憶装置へデータを送信し、記憶装置はデータを記憶する。
【００１６】
また本発明においては、情報処理装置は、内部の記憶部又は外部の記憶装置等のデータの転送先の内、装着された記憶媒体を認証する第１認証情報と正当に対応する第２認証情報が認証する転送先からデータを読み出す。
【発明の効果】
【００１７】
本発明にあっては、記憶媒体の記憶容量が不足する等、記憶媒体がデータを記憶できない場合であっても、自動で転送先が判定されてデータが転送されるので、記憶媒体を交換するか又はデータを転送させるための煩雑な操作を使用者が行う必要がない。従って、画像処理装置等の情報処理装置の操作性が向上し、使用者はより手軽にデータの利用を行うことが可能となる等、本発明は優れた効果を奏する。
【発明を実施するための最良の形態】
【００１８】
以下本発明をその実施の形態を示す図面に基づき具体的に説明する。
（実施の形態１）
図１は、本発明の情報処理装置である画像処理装置の内部構成を示す構成図である。画像処理装置１は、上部に画像読み取り部１１０、中央部に画像形成部１２０、下部に用紙給紙部１５０を配設して構成されている。また画像読み取り部１１０の上側には、複数枚の原稿を１枚ずつ供給する原稿搬送部１１２が備えられており、画像形成部１２０の一側面には、ステープル止め又はソート等の後処理を行う後処理ユニット１４０が備えられている。
【００１９】
画像読み取り部１１０は、透明ガラス板を略水平に配置してなる原稿台１１１を備える。原稿搬送部１１２は、原稿台１１１上に配置されており、複数枚の原稿を１枚ずつ原稿台１１１上へ供給する。原稿台１１１の下方には、原稿台１１１上に載置された原稿の画像を走査する第１走査ユニット１１３及び第２走査ユニット１１４が配置され、更に画像読み取り部１１０は、光学レンズ１１５、及び光電変換素子である受光部１１６を備えている。第１走査ユニット１１３は、原稿台１１１に載置された原稿面上を露光する光源ランプ１１３ａと、光源ランプ１１３ａからの光による原稿からの反射光を第２走査ユニット１１４の方向へ反射するミラー１１３ｂとを備えている。また第２走査ユニット１１４は、ミラー１１３ｂで反射された原稿からの反射光を光学レンズ１１５の方向へ反射するミラー１１４ａ，１１４ｂを備える。光学レンズ１１５は、ミラー１１４ａ，１１４ｂで反射された原稿からの反射光を受光部１１６の受光面に結像させる。以上のように、画像読み取り部１１０は、原稿台１１１上に載置された原稿の画像を第１走査ユニット１１３及び第２走査ユニット１１４で走査し、原稿画像の反射光像を受光部１１６で読み取る構成となっている。画像読み取り部１１０が読み取った原稿画像の反射光像から、画像データが生成される。
【００２０】
画像形成部１２０は、感光体ドラム１２１と、感光体ドラム１２１を所定の電位に帯電させる帯電器１２３と、画像データに応じてレーザー光を出射することにより感光体ドラム１２１上に静電潜像を形成するレーザースキャンユニット（ＬＳＵ）１２２とを備える。また画像形成部１２０は、感光体ドラム１２１上に形成された静電潜像にトナーを供給してトナー像に顕像化する現像器１２５と、感光体ドラム１２１上に形成されたトナー像を用紙に転写する転写器１２６と、転写後の感光体ドラム１２１上に残留したトナー等を回収するクリーニング器１２４とを備えている。ＬＳＵ１２２は、画像データに基づいて変調されたレーザー光を照射する半導体レーザー１２２ａと、回転によってレーザー光を主走査方向に掃引するポリゴンミラー１２２ｂとを図示しないレンズ群等と共に備えている。
【００２１】
画像形成部１２０には、トナー像が転写された用紙を加熱及び加圧して用紙上にトナー像を定着させる定着ユニット１２７が設けられている。定着ユニット１２７は、ヒータを備えた加熱ローラ１２７ｂと加圧ローラ１２７ａとの一対のローラを備えてなる。更に、定着ユニット１２７の排出側には、用紙の両面に画像を形成する両面画像形成時に用紙の前後を反転させるスイッチバック路１３３が形成されている。スイッチバック路１３３は、画像が形成された用紙の排出搬送路と兼用される。定着ユニット１２７においてトナー像が定着された用紙は、スイッチバック路１３３を経て本体排紙トレイ１３４上に排出されるか、又は後処理ユニット１４０へと導かれ、ここでステープル処理若しくは穿孔処理等の後処理が施された後、排紙トレイ１４１上に排出される。
【００２２】
画像形成部１２０の下部には給紙トレイ１３１が備えられ、画像形成部１２０の側面には手差しトレイ１３２が備えられている。また用紙給紙部１５０は、複数の給紙トレイ１５１，１５２を備えている。また画像形成部１２０は、手差しトレイ１３２又は給紙トレイ１３１，１５１，１５２が収納している用紙を感光体ドラム１２１と転写器１２６との間の転写位置へと搬送するローラ等の搬送手段を備え、用紙が感光体ドラム１２１へ搬送される手前の位置に、用紙を一旦停止させるレジストローラ１２８を備えている。更に画像形成部１２０は、両面画像用搬送路１３６を備えている。両面画像用搬送路１３６は、用紙を反転させるスイッチバック路１３３に通じており、両面画像形成時に表裏面が反転された用紙を再給紙する。
【００２３】
スイッチバック路１３３の出口部分には、排紙ローラ１３７が備えられており、排紙ローラ１３７は、通常の画像形成時には正転して用紙をスイッチバック路１３３から排出し、両面画像形成時には用紙を挟持した状態で逆転して用紙を両面画像用搬送路１３６の方へ搬送する。スイッチバック路１３３の先には、用紙を後処理ユニット１４０へ搬送する中継搬送路１３５が備えられ、排紙ローラ１３７と中継搬送路１３５との間には、排紙ローラ１３７から排出される記録済み用紙を本体排紙トレイ１３４に排出するか又は中継搬送路１３５へ搬送するかを切り替える第１ゲート１３８が備えられている。またスイッチバック路１３３と両面画像用搬送路１３６との間には、記録済み用紙を本体排紙トレイ１３４の方向へ搬送するか又は排紙ローラ１３７の逆転によってスイッチバック路１３３から反転搬送される記録済み用紙を両面画像用搬送路１３６へ搬送するかを切り替える第２ゲート１３９が備えられている。
【００２４】
画像処理装置１の正面には、本体排紙トレイ１３４の位置から延設されるように突出して操作パネル２２０が設けられている。操作パネル２２０は、液晶パネル等の情報を表示する表示部と、キースイッチ又はタッチパネル等、使用者の操作によって各種の指示を受け付ける受付部とを備えている。また画像処理装置１の正面には、ＵＳＢメモリ等の記憶機器を接続するための接続部２３１が設けられている。
【００２５】
図２は、実施の形態１に係る画像処理装置１の電気的構成を示すブロック図である。画像処理装置１は、メインコントローラ２１０を備え、メインコントローラ２１０内には、画像処理装置１全体の制御を行うメインＣＰＵ２１１、メインＣＰＵ２１１の処理に伴う情報を記憶するＲＡＭ２１４、及び制御プログラムを記憶するＲＯＭ２１３を備える。またメインＣＰＵ２１１には、画像データの生成等の画像処理を行う画像処理回路２１２、画像データを記憶する画像メモリ２１６、ハードディスク又は不揮発性の半導体メモリ等でなる記憶部２１５、及び操作パネル２２０が接続されている。メインＣＰＵ２１１は、ＲＯＭ２１３が記憶する制御プログラムに従って、画像処理装置１の各部分の動作を制御する処理を実行する。
【００２６】
またメインＣＰＵ２１１には、ＮＩＣ（Network Interface Card）２３４が接続されている。ＮＩＣ２３４は、ＬＡＮ又はインターネット等の外部の通信ネットワークＮに接続されている。通信ネットワークＮには本発明における記憶装置であるＰＣ４が接続されており、ＮＩＣ２３４は、通信ネットワークＮを介してＰＣ４との間で通信を行う。画像処理装置１は、ＰＣ４から送信された画像データをＮＩＣ２３４で受信し、受信した画像データに基づいて画像を形成する処理、及び原稿画像の読み取りによって生成した画像データをＮＩＣ２３４からＰＣ４へ送信する処理を行うことができる。
【００２７】
接続部２３１は、ＵＳＢメモリ等の記憶機器３との接続が可能なＵＳＢ規格のコネクタであり、記憶機器３は接続部２３１に接続することにより画像処理装置１に装着される。記憶機器３は、本発明における記憶媒体に対応する。メインＣＰＵ２１１には、接続部２３１に接続した記憶機器３との間でデータ通信を行うインタフェースである通信部２３２が接続されている。更にメインＣＰＵ２１１には、記憶機器３とのデータ通信の可否を検出する検出部２３３が接続されている。
【００２８】
画像形成部１２０は、画像形成部１２０の動作を制御するサブＣＰＵ２４１を備えており、サブＣＰＵ２４１はメインＣＰＵ２１１に接続されている。また定着ユニット１２７は、加熱ローラ１２７ｂを加熱するヒータ２４５と加熱ローラ１２７ｂの温度を検出する温度センサ２４３とを備えている。ヒータ２４５は、サブＣＰＵ２４１に接続されたドライバ２４４に接続されており、サブＣＰＵ２４１に制御されたドライバ２４４により通電される。また温度センサ２４３は、Ａ／Ｄ変換器（ＡＤＣ）２４２を介してサブＣＰＵ２４１に接続されており、加熱ローラ１２７ｂの温度を検出し、検出した温度のデータをサブＣＰＵ２４１へ入力する。メインＣＰＵ２１１が所定のウオームアップコマンドをサブＣＰＵ２４１へ送信すると、サブＣＰＵ２４１は、ドライバ２４４を制御してヒータ２４５に通電し、温度センサ２４３が検出する温度に基づき、ヒータ２４５により加熱される加熱ローラ１２７ｂの表面温度が所定の温度で略一定になるようにドライバ２４４の動作を制御する。またサブＣＰＵ２４１は、加熱ローラ１２７ｂの表面が予め定められた温度に到達した場合に、画像形成の処理が可能な状態（レディ状態）に達したと判定し、メインＣＰＵ２１１へレディ状態に達したことを通知する。
【００２９】
画像読み取り部１１０は、画像読み取り部１１０の動作を制御するサブＣＰＵ２５１を備えており、サブＣＰＵ２５１はメインＣＰＵ２１１に接続されている。また第１走査ユニット１１３は、光源ランプ１１３ａが発光した光量を検出する光量センサ２５３を備えている。光源ランプ１１３ａは、サブＣＰＵ２５１に接続されたドライバ２５４に接続されており、サブＣＰＵ２５１に制御されたドライバ２５４により通電される。また光量センサ２５３は、Ａ／Ｄ変換器（ＡＤＣ）２５２を介してサブＣＰＵ２５１に接続されており、検出した光量のデータをサブＣＰＵ２５１へ入力する。メインＣＰＵ２１１が所定のウオームアップコマンドをサブＣＰＵ２５１へ送信すると、サブＣＰＵ２５１は、ドライバ２５４を制御して光源ランプ１１３ａに通電し、光量センサ２５３が検出する光量に基づき、光源ランプ１１３ａが発光する光量が所定の光量で略一定になるようにドライバ２５４の動作を制御する。またサブＣＰＵ２５１は、光源ランプ１１３ａが発光する光量が予め定められた光量に到達した場合に、画像読み取りの処理が可能な状態（レディ状態）に達したと判定し、メインＣＰＵ２１１へレディ状態に達したことを通知する。
【００３０】
サブＣＰＵ２４１及び２５１には、画像形成部１２０及び画像読み取り部１１０を構成するモータ、クラッチ、ソレノイド及びセンサ等の図示しない各種の構成部分が接続されている。サブＣＰＵ２４１及び２５１は、画像形成処理時及び画像読み取り処理時に、所定のタイミングでセンサの検出データを読み取り、検出データに応じて各構成部分を動作させる。
【００３１】
図３は、検出部２３３の動作を説明するための説明図である。接続部２３１には、画像処理装置１の電源２３５に接続された電力線Ｖｂｕｓ及び接地線ＧＮＤと、通信部２３２及び検出部２３３に接続されたデータ入出力線Ｄ＋及びＤ−が接続されている。記憶機器３は、接続部２３１に接続する接続端子３１を備えており、接続端子３１には同様に電力線Ｖｂｕｓ、接地線ＧＮＤ、データ入出力線Ｄ＋及びＤ−に対応する線が接続されている。電力線Ｖｂｕｓは＋５Ｖで記憶機器３へ電力を供給するラインであり、電源２３５は、接続部２３１に接続された記憶機器３に対して電力線Ｖｂｕｓを介して電力を供給する。記憶機器３内には、データ入出力線Ｄ＋を電力線Ｖｂｕｓの電位へプルアップするプルアップ抵抗３２が備えられている。なお記憶機器３は、プルアップ抵抗３２がデータ入出力線Ｄ−を電力線Ｖｂｕｓの電位へプルアップする構成であってもよい。接続部２３１に記憶機器３が接続された場合、データ入出力線Ｄ＋又はＤ−が電力線Ｖｂｕｓとほぼ同電位となる。検出部２３３は、データ入出力線Ｄ＋及びＤ−の電位を検出し、データ入出力線Ｄ＋又はＤ−が電力線Ｖｂｕｓとほぼ同電位となった場合に、記憶機器３と画像処理装置１との間でデータ通信が可能な状態となったことをメインＣＰＵ２１１へ通知する処理を行う。
【００３２】
図４は、記憶機器３の内部構成を示すブロック図である。記憶機器３はＵＳＢメモリであり、接続端子３１を介した通信を行うインタフェース部３３と、データ入出力の制御を行う制御部３４と、制御プログラム等を記憶するＲＯＭ３５と、画像データを記憶することが可能なメモリ３６とを備えている。メモリ３６は、画像データ以外に、記憶容量が不足した場合に画像データを転送する転送先を示す転送先情報を記憶することができる。転送先情報は、記憶機器３が接続された画像処理装置１の記憶部２１５を示す情報、又は特定のＰＣ４を示すＩＰアドレス若しくはＭＡＣアドレス等の情報である。また転送先情報は、電子メールアドレスであってもよい。
【００３３】
以上の構成でなる画像処理装置１は、原稿画像の複写、画像データに基づいた画像の形成、及び画像の読み取りの各処理を実行することができる複合機である。次に、画像処理装置１の動作を説明する。まず、原稿画像を複写する処理を説明する。原稿台１１１に原稿が載置された状態、又は原稿搬送部１１２に原稿がセットされた状態で、使用者が操作パネル２２０を操作することにより、複写枚数又は複写倍率等の条件が入力され、更に複写の開始指示が入力される。複写の開始指示が入力されると、メインＣＰＵ２１１は、図示しないメイン駆動モータを始動させ、図示しない各駆動ギアが回転する。手差しトレイ１３２又は給紙トレイ１３１，１５１，１５２から用紙が給紙され、給紙された用紙はレジストローラ１２８まで搬送される。ここで用紙は、感光体ドラム１２１上の画像先端部と同期をとるために一時停止し、用紙の先端部は均一にレジストローラ１２８に押しつけられて用紙の先端位置の補正が行なわれる。
【００３４】
画像読み取り部１１０においては、光源ランプ１１３ａが点灯し、第１走査ユニット１１３が移動することで露光操作が開始される。光源ランプ１１３ａが発光した光の原稿画像面における反射光は、ミラー１１３ｂ、１１４ａ、１１４ｂ及び光学レンズ１１５を経由して受光部１１６で受光され、画像情報として読み取られる。読み取られた画像情報は、画像処理回路２１２でデジタルデータである画像データに変換される。画像データは、設定された条件で画像処理が施され、画像メモリ２１６に一旦記憶された後、メインＣＰＵ２１１によりＬＳＵ１２２へ供給される。
【００３５】
所定速度で回転する感光体ドラム１２１の表面は、帯電器１２３からの電荷の付与を受けることにより、所定の帯電電位に均一に帯電される。ＬＳＵ１２２は、メインＣＰＵ２１１から供給された画像データに基づいて半導体レーザー１２２ａを駆動し、画像データによって変調されたレーザー光を所定速度で回転するポリゴンミラー１２２ｂを介して感光体ドラム１２１の表面に照射する。ＬＳＵ１２２によるレーザー光の照射により、感光体ドラム１２１の表面には画像データに基づく静電潜像が形成される。静電潜像が形成された感光体ドラム１２１の表面には、現像器１２５からトナーが供給され、静電潜像がトナー像に顕像化される。
【００３６】
用紙は、感光体ドラム１２１の回転に同期して回転を開始するレジストローラ１２８により、感光体ドラム１２１と転写器１２６との間に搬送され、感光体ドラム１２１の表面に担持されているトナー像を転写器１２６によって転写される。感光体ドラム１２１の表面に残留したトナーは、紙粉等とともにクリーニング器１２４によって除去及び回収される。トナー像の転写を受けた用紙は、定着ユニット１２７に搬送され、加熱ローラ１２７ｂと加圧ローラ１２７ａとの間を通過する間に加熱及び加圧される。用紙上に転写されたトナー像は、加熱ローラ１２７ｂ及び加圧ローラ１２７ａによる加熱及び加圧によって溶融して用紙表面に堅牢に定着する。トナー像が定着することにより、原稿画像を複写した画像が用紙に形成される。画像が形成された用紙は、排紙ローラ１３７によって後処理ユニット１４０へ送られるか、又は本体排紙トレイ１３４上に排出される。
【００３７】
次に、画像データに基づいて画像を形成する処理を説明する。ＰＣ等のＰＣ４から通信ネットワークＮを介して送信された画像データをＮＩＣ２３４で受信した場合、メインＣＰＵ２１１は、適切な画像処理を行った後で画像データをＬＳＵ１２２へ入力する。画像形成部１２０では、前述の複写処理の場合と同様に、ＬＳＵ１２２へ入力された画像データに基づいて画像を形成する。また画像処理装置１は、記憶機器３が記憶する画像データに基づいて画像を形成する処理を行うことも可能である。記憶機器３が接続部２３１に接続されている状態で、使用者が操作パネル２２０を操作することにより、画像形成の指示が入力される。メインＣＰＵ２１１は、通信部２３２に接続部２３１を介して記憶機器３へ画像データの転送要求を送信させる。記憶機器３の制御部３４は、メモリ３６から画像データを読み出し、インタフェース部３３に接続端子３１を介して画像処理装置１へ画像データを送信させる。画像処理装置１は通信部２３２で画像データを受信し、メインＣＰＵ２１１は画像データをＬＳＵ１２２へ入力する。画像形成部１２０では、同様に画像を形成する処理を行う。
【００３８】
次に、原稿画像を読み取る処理を説明する。原稿台１１１に原稿が載置された状態、又は原稿搬送部１１２に原稿がセットされた状態で、使用者が操作パネル２２０を操作することにより、画像読み取りの開始指示が入力される。画像読み取り部１１０は、前述の複写処理の場合と同様に、画像情報を読み取り、画像処理回路２１２は画像情報を画像データへ変換する。このようにして生成された画像データは、一旦画像メモリ２１６に記憶された後、記憶部２１５に記憶されるか、又は使用者に指定されたＰＣ４へＮＩＣ２３４から送信される。
【００３９】
また本発明の情報処理装置である画像処理装置１は、原稿画像読み取りによって生成した画像データを記憶機器３に記憶させる処理を行うこともできる。この際、記憶機器３の記憶容量不足等により記憶機器３が画像データを記憶できない場合は、画像処理装置１は、自動で画像データを他の転送先へ転送して記憶させる処理を行う。
【００４０】
図５は、実施の形態１に係る画像処理装置１が行う画像データ転送の処理の手順を示すフローチャートである。接続部２３１に記憶機器３が接続された状態で画像読み取りの開始指示が入力され、画像読み取り部１１０が画像情報を読み取り、画像処理回路２１２が画像情報を画像データへ変換することにより、画像処理装置１は画像データを生成する（Ｓ１１）。メインＣＰＵ２１１は、生成した画像データを一旦画像メモリ２１６に記憶させ、接続部２３１に接続された記憶機器３のメモリ３６の空き容量を確認し、記憶機器３のメモリ３６の空き容量が画像メモリ２１６に記憶した画像データを記憶できるだけ十分な空き容量であるか否かを判定する（Ｓ１２）。空き容量が十分である場合は（Ｓ１２：ＹＥＳ）、メインＣＰＵ２１１は、通信部２３２に、画像メモリ２１６で記憶している画像データを記憶機器３へ送信させ、記憶機器３では、インタフェース部３３で画像データを受信し、制御部３４は、受信した画像データをメモリ３６に記憶させる（Ｓ１３）。
【００４１】
ステップＳ１２でメモリ３６の空き容量が不十分であり、記憶機器３が画像データを記憶することができない場合は（Ｓ１２：ＮＯ）、メインＣＰＵ２１１は、記憶機器３がメモリ３６に転送先情報を記憶しているか否かを判定する（Ｓ１４）。記憶機器３が転送先情報を記憶している場合は（Ｓ１４：ＹＥＳ）、メインＣＰＵ２１１は、記憶機器３がメモリ３６に記憶している転送先情報が示す転送先へ、画像メモリ２１６で記憶している画像データを転送する（Ｓ１５）。ここで、転送先情報が画像処理装置１の記憶部２１５を示している場合は、メインＣＰＵ２１１は、画像データを記憶部２１５に記憶させる。また転送先情報が特定のＰＣ４を示している場合は、メインＣＰＵ２１１は、ＮＩＣ２３４に、転送先情報が示すＰＣ４へ通信ネットワークＮを介して画像データを送信させる。また転送先情報が電子メールアドレスである場合は、メインＣＰＵ２１１は、画像データを添付した電子メールを作成し、ＮＩＣ２３４に、転送先情報が示す電子メールアドレス宛に電子メールを送信させる。
【００４２】
ステップＳ１４で記憶機器３が転送先情報を記憶していない場合は（Ｓ１４：ＮＯ）、メインＣＰＵ２１１は、画像データを記憶及び転送できないことを表すエラーメッセージを操作パネル２２０の表示部に表示させ、画像メモリ２１６に記憶した画像データを破棄する（Ｓ１６）。画像処理装置１は、以上で画像データ転送の処理を終了する。
【００４３】
以上詳述した如く、本発明の情報処理装置である画像処理装置１は、画像データを記憶機器３に記憶させようとして記憶ができない場合に、記憶機器３が記憶する転送先情報が示す転送先へ画像データを転送し、転送先で画像データを記憶させる。使用者は、転送先に記憶された画像データを利用することができる。例えば、記憶部２１５に画像データが記憶された場合は、通信ネットワークＮを介して記憶部２１５から画像データを読み出して利用することができる。またＰＣ４へ画像データが転送された場合は、ＰＣ４で画像データを利用することができる。
【００４４】
本発明においては、記憶機器３の記憶容量が不足して画像データを記憶できない場合であっても、自動で転送先が判定されて画像データが転送されるので、記憶機器３を交換するか又は画像データを転送させるための煩雑な操作を使用者が行う必要がない。従って、画像処理装置１の操作性が向上し、使用者はより手軽に画像データの利用を行うことが可能となる。
【００４５】
（実施の形態２）
図６は、実施の形態２に係る記憶機器３の内部構成を示すブロック図である。記憶機器３は、メモリ３６に、記憶機器３を認証するための第１認証情報を記憶している。なお、記憶機器３は、ＲＯＭ３５に第１認証情報を記憶している形態であってもよい。記憶機器３のその他の内部構成は、図４で説明した実施の形態１と同様であるので、対応する部分に同符号を付してその説明を省略する。
【００４６】
実施の形態２に係る画像処理装置１の内部構成は、図１で説明した実施の形態１と同様であるので、その説明を省略する。図７は、実施の形態２に係る画像処理装置１の電気的構成を示すブロック図である。ＲＯＭ２１３は、画像処理装置１の記憶部２１５を認証するための第２認証情報を記憶している。なお、画像処理装置１は第２認証情報を記憶部２１５で記憶する形態であってもよい。また画像処理装置１は、複数の記憶機器３に対応できるように、複数の第２認証情報を記憶していてもよい。画像処理装置１のその他の電気的構成は、図２で説明した実施の形態１と同様であるので、対応する部分に同符号を付してその説明を省略する。
【００４７】
図８は、ＰＣ４の内部構成を示すブロック図である。ＰＣ４は、ＣＰＵ４１と、ＲＡＭ４２と、ハードディスク等の記憶部４３と、通信ネットワークＮに接続された通信部４４とを備えている。記憶部４３は、画像データを記憶することが可能であると共に、ＰＣ４を認証するための第２認証情報を記憶している。記憶部４３は、複数の第２認証情報を記憶する形態であってもよい。
【００４８】
図９は、実施の形態２に係る画像処理装置１が行う画像データ転送の処理の手順を示すフローチャートである。接続部２３１に記憶機器３が接続された状態で画像読み取りの開始指示が入力され、画像読み取り部１１０が画像情報を読み取り、画像処理回路２１２が画像情報を画像データへ変換することにより、画像処理装置１は画像データを生成する（Ｓ２０１）。メインＣＰＵ２１１は、生成した画像データを一旦画像メモリ２１６に記憶させ、接続部２３１に接続された記憶機器３のメモリ３６の空き容量を確認し、記憶機器３のメモリ３６の空き容量が画像メモリ２１６に記憶した画像データを記憶できるだけ十分な空き容量であるか否かを判定する（Ｓ２０２）。空き容量が十分である場合は（Ｓ２０２：ＹＥＳ）、メインＣＰＵ２１１は、通信部２３２に、画像メモリ２１６で記憶している画像データを記憶機器３へ送信させ、記憶機器３では、インタフェース部３３で画像データを受信し、制御部３４は、受信した画像データをメモリ３６に記憶させる（Ｓ２０３）。
【００４９】
ステップＳ２０２でメモリ３６の空き容量が不十分であり、記憶機器３が画像データを記憶することができない場合は（Ｓ２０２：ＮＯ）、メインＣＰＵ２１１は、記憶機器３がメモリ３６に第１認証情報を記憶しているか否かを判定する（Ｓ２０４）。記憶機器３が第１認証情報を記憶していない場合は（Ｓ２０４：ＮＯ）、メインＣＰＵ２１１は、画像データを記憶及び転送できないことを表すエラーメッセージを操作パネル２２０の表示部に表示させ、画像メモリ２１６に記憶した画像データを破棄し（Ｓ２０５）、処理を終了する。記憶機器３が第１認証情報を記憶している場合は（Ｓ２０４：ＹＥＳ）、メインＣＰＵ２１１は、記憶機器３がメモリ３６に記憶している第１認証情報を読み出し、読み出した第１認証情報が、ＲＯＭ２１３が記憶しているいずれかの第２認証情報と一致するか否かを判定する（Ｓ２０６）。第１認証情報がいずれかの第２認証情報と一致する場合は（Ｓ２０６：ＹＥＳ）、メインＣＰＵ２１１は、画像メモリ２１６で記憶している画像データを記憶部２１５に記憶させる（Ｓ２０７）。このとき、記憶部２１５は、第１認証情報と一致した第２認証情報に関連付けて画像データを記憶してもよい。
【００５０】
ステップＳ２０６で第１認証情報がいずれの第２認証情報とも一致しない場合は（Ｓ２０６：ＮＯ）、メインＣＰＵ２１１は、通信ネットワークＮに接続されたＰＣ４から第２認証情報を取得する（Ｓ２０８）。このとき、メインＣＰＵ２１１は、ＮＩＣ２３４に、通信ネットワークＮを介してＰＣ４へ第２認証情報の要求を送信させ、ＰＣ４のＣＰＵ４１は、記憶部４３が記憶する第２認証情報を通信部４４に通信ネットワークＮを介して画像処理装置１へ送信させる。なお、通信ネットワークＮに複数のＰＣ４が接続されている場合は、画像処理装置１は、夫々のＰＣ４から第２認証情報を取得する。
【００５１】
メインＣＰＵ２１１は、次に、第１認証情報が取得したいずれかの第２認証情報と一致するか否かを判定する（Ｓ２０９）。第１認証情報が取得したいずれの第２認証情報とも一致しない場合は（Ｓ２０９：ＮＯ）、メインＣＰＵ２１１は、処理をステップＳ２０５へ進める。第１認証情報が取得したいずれかの第２認証情報と一致する場合は（Ｓ２０９：ＹＥＳ）、メインＣＰＵ２１１は、ＮＩＣ２３４に、第１認証情報と一致した第２認証情報で認証されるＰＣ４へ、画像メモリ２１６で記憶している画像データを送信させる（Ｓ２１０）。ＰＣ４では、画像データを通信部４４で受信し、ＣＰＵ４１は記憶部４３に画像データを記憶させる。画像処理装置１は、以上で画像データ転送の処理を終了する。
【００５２】
図１０は、実施の形態２に係る画像処理装置１が行う画像データ読み出しの処理の手順を示すフローチャートである。画像処理装置１は、接続部２３１に記憶機器３が接続されている状態で、使用者が操作パネル２２０を操作することにより、画像データ読み出しの指示を操作パネル２２０で受け付ける（Ｓ３１）。メインＣＰＵ２１１は、記憶機器３がメモリ３６に記憶している第１認証情報を読み出し（Ｓ３２）、読み出した第１認証情報が、ＲＯＭ２１３が記憶しているいずれかの第２認証情報と一致するか否かを判定する（Ｓ３３）。第１認証情報がいずれかの第２認証情報と一致する場合は（Ｓ３３：ＹＥＳ）、メインＣＰＵ２１１は、記憶部２１５で記憶している画像データを画像メモリ２１６に読み出す（Ｓ３４）。このとき、メインＣＰＵ２１１は、第１認証情報と一致した第２認証情報に関連付けて記憶部２１５に記憶している画像データを読み出すこととしてもよい。
【００５３】
ステップＳ３３で第１認証情報がいずれの第２認証情報とも一致しない場合は（Ｓ３３：ＮＯ）、メインＣＰＵ２１１は、通信ネットワークＮに接続されたＰＣ４から第２認証情報を取得する（Ｓ３５）。このとき、メインＣＰＵ２１１は、ＮＩＣ２３４に、通信ネットワークＮを介してＰＣ４へ第２認証情報の要求を送信させ、ＰＣ４のＣＰＵ４１は、記憶部４３が記憶する第２認証情報を通信部４４に通信ネットワークＮを介して画像処理装置１へ送信させる。メインＣＰＵ２１１は、次に、第１認証情報が取得したいずれかの第２認証情報と一致するか否かを判定する（Ｓ３６）。第１認証情報が取得したいずれかの第２認証情報と一致する場合は（Ｓ３６：ＹＥＳ）、メインＣＰＵ２１１は、第１認証情報と一致した第２認証情報で認証されるＰＣ４から画像データを取得する（Ｓ３７）。このとき、メインＣＰＵ２１１は、ＮＩＣ２３４に、通信ネットワークＮを介してＰＣ４へ画像データの要求を送信させ、ＰＣ４のＣＰＵ４１は、記憶部４３が記憶する画像データを通信部４４に通信ネットワークＮを介して画像処理装置１へ送信させる。画像処理装置１は、ＰＣ４からの画像データをＮＩＣ２３４で受信し、画像メモリ２１６に記憶させる。第１認証情報が取得したいずれの第２認証情報とも一致しない場合は（Ｓ３６：ＮＯ）、メインＣＰＵ２１１は、画像データの読み出しができないことを示すエラーメッセージを操作パネル２２０の表示部に表示する（Ｓ３８）。
【００５４】
画像処理装置１は、以上で画像データ読み出しの処理を終了する。画像処理装置１は、読み出した画像データを画像メモリ２１６に記憶し、使用者が操作パネル２２０を操作することによって入力される指示に従って、各種の画像処理を実行する。例えば、画像処理装置１は、読み出した画像データに基づいて画像を形成する処理を行う。また例えば、画像処理装置１は、読み出した画像データを記憶機器３に記憶させる処理、又は読み出した画像データを任意のＰＣ４へ送信する処理を行う。
【００５５】
以上詳述した如く、本実施の形態においては、画像処理装置１は、画像データを記憶機器３に記憶させようとして記憶ができない場合に、記憶機器３を認証する第１認証情報と転送先を認証する第２認証情報とが一致するか否かを判定し、第１認証情報と一致する第２認証情報が認証する転送先へ画像データを転送し、転送先で画像データを記憶させる。また本実施の形態においては、画像データを読み出す際には、画像処理装置１は、第１認証情報と一致する第２認証情報が認証する転送先から画像データを読み出す。
【００５６】
本実施の形態においても、記憶機器３の記憶容量が不足して画像データを記憶できない場合に、使用者による煩雑な操作を必要とせずに画像データが他の記憶手段へ転送されるので、画像処理装置１の操作性が向上する。また画像データを取り出す際には、記憶機器３を接続するだけで画像データを取り出すことができるので、使用者は画像データがどこへ転送されているかは知らずとも転送された画像データを手軽に利用することができる。
【００５７】
なお本実施の形態においては、第１認証情報と記憶部２１５を認証する第２認証情報とが一致しない場合にＰＣ４を認証する第２認証情報を取得する処理を示したが、本発明の情報処理装置である画像処理装置１は、先に第１認証情報とＰＣ４を認証する第２認証情報とが一致するか否かの判定を行う形態でも良い。また本実施の形態においては、画像処置装置１がＰＣ４を認証する第２認証情報を必要に応じてＰＣ４から取得する形態を示したが、本発明の情報処理装置である画像処理装置１は、通信ネットワークＮを介して接続されているＰＣ４を認証する第２認証情報を予め記憶部２１５に記憶しておき、記憶している第２認証情報を用いて必要な処理を実行する形態であってもよい。
【００５８】
また本発明の情報処理装置である画像処理装置１は、実施の形態１及び２を組み合わせた処理を行う形態であってもよい。即ち、記憶機器３が第１認証情報と共に転送先情報を記憶している場合は、画像処理装置１は、転送先情報が示す転送先を認証する第２認証情報を取得し、判定を行う。画像処理装置１は、第１認証情報と第２認証情報とが一致するときには、転送先が記憶部２１５であれば画像データを記憶部２１５に記憶し、転送先がＰＣ４であれば画像データをＰＣ４へ送信する。
【００５９】
（実施の形態３）
図１１は、実施の形態３に係る本発明の情報処理システムの構成を示すブロック図である。記憶機器３は本発明における情報処理装置である画像処理装置１に対して接続可能であり、画像処理装置１は通信ネットワークＮに接続されている。通信ネットワークＮには、更に、ＰＣ４と、本発明における記憶装置である認証サーバ装置５とが接続されている。認証サーバ装置５は、ＣＰＵ５１と、ＲＡＭ５２と、ハードディスク等の記憶部５３と、通信ネットワークＮに接続された通信部５４とを備えている。記憶部５３は、画像データを記憶することが可能であると共に、認証サーバ装置５を認証するための第２認証情報を記憶している。記憶部５３は、複数の第２認証情報を記憶する形態であってもよい。画像処理装置１の内部構成及び電気的構成は、実施の形態１と同様であるので、その説明を省略する。記憶機器３の内部構成は、図６で説明した実施の形態２と同様であり、メモリ３６に、記憶機器３を認証するための第１認証情報を記憶している。
【００６０】
図１２は、実施の形態３に係る情報処理システムが行う画像データ転送の処理の手順を示すフローチャートである。接続部２３１に記憶機器３が接続された状態で画像読み取りの開始指示が入力され、画像読み取り部１１０が画像情報を読み取り、画像処理回路２１２が画像情報を画像データへ変換することにより、画像処理装置１は画像データを生成する（Ｓ４０１）。画像処理装置１のメインＣＰＵ２１１は、生成した画像データを一旦画像メモリ２１６に記憶させ、接続部２３１に接続された記憶機器３のメモリ３６の空き容量が画像メモリ２１６に記憶した画像データを記憶できるだけ十分な空き容量であるか否かを判定する（Ｓ４０２）。空き容量が十分である場合は（Ｓ４０２：ＹＥＳ）、メインＣＰＵ２１１は、通信部２３２に、画像メモリ２１６で記憶している画像データを記憶機器３へ送信させ、記憶機器３では、インタフェース部３３で画像データを受信し、制御部３４は、受信した画像データをメモリ３６に記憶させる（Ｓ４０３）。
【００６１】
ステップＳ４０２でメモリ３６の空き容量が不十分であり、記憶機器３が画像データを記憶することができない場合は（Ｓ４０２：ＮＯ）、メインＣＰＵ２１１は、記憶機器３がメモリ３６に第１認証情報を記憶しているか否かを判定する（Ｓ４０４）。記憶機器３が第１認証情報を記憶していない場合は（Ｓ４０４：ＮＯ）、メインＣＰＵ２１１は、画像データを記憶及び転送できないことを表すエラーメッセージを操作パネル２２０の表示部に表示させ、画像メモリ２１６に記憶した画像データを破棄し（Ｓ４０５）、処理を終了する。
【００６２】
ステップＳ４０４で記憶機器３が第１認証情報を記憶している場合は（Ｓ４０４：ＹＥＳ）、メインＣＰＵ２１１は、記憶機器３がメモリ３６に記憶している第１認証情報を読み出し、ＮＩＣ２３４に、通信ネットワークＮを介して、読み出した第１認証情報を認証サーバ装置５へ送信させる（Ｓ４０６）。認証サーバ装置５は、通信部５４で第１認証情報を受信する（Ｓ４０７）。認証サーバ装置５のＣＰＵ５１は、受信した第１認証情報と記憶部５３で記憶しているいずれかの第２認証情報とが一致するか否かを判定し（Ｓ４０８）、通信部５４に、通信ネットワークＮを介して、判定結果を画像処理装置１へ送信させる（Ｓ４０９）。
【００６３】
画像処理装置１は、判定結果をＮＩＣ２３４で受信し（Ｓ４１０）、メインＣＰＵ２１１は、受信した判定結果が第１認証情報と第２認証情報とが一致したと判定した結果であるか否かを判定する（Ｓ４１１）。判定結果が、第１認証情報と第２認証情報とは一致していないと判定した結果である場合は（Ｓ４１１：ＮＯ）、メインＣＰＵ２１１は、処理をステップＳ４０５へ進める。判定結果が、第１認証情報と第２認証情報とが一致していると判定した結果である場合は（Ｓ４１１：ＹＥＳ）、メインＣＰＵ２１１は、ＮＩＣ２３４に、画像メモリ２１６で記憶している画像データを認証サーバ装置５へ送信させる（Ｓ４１２）。認証サーバ装置５は、通信部５４で画像データを受信し（Ｓ４１３）、ＣＰＵ５１は受信した画像データを記憶部５３に記憶させる（Ｓ４１４）。このとき、記憶部５３は、第１認証情報と一致した第２認証情報に関連付けて画像データを記憶してもよい。本発明の情報処理システムは、以上で画像データ転送の処理を終了する。
【００６４】
図１３は、実施の形態３に係る情報処理システムが行う画像データ読み出しの処理の手順を示すフローチャートである。画像処理装置１は、接続部２３１に記憶機器３が接続されている状態で、使用者が操作パネル２２０を操作することにより、画像データ読み出しの指示を操作パネル２２０で受け付ける（Ｓ５０１）。メインＣＰＵ２１１は、記憶機器３がメモリ３６に記憶している第１認証情報を読み出し（Ｓ５０２）、読み出した第１認証情報を、ＮＩＣ２３４に認証サーバ装置５へ送信させる（Ｓ５０３）。
【００６５】
認証サーバ装置５は、通信部５４で第１認証情報を受信し（Ｓ５０４）、ＣＰＵ５１は、受信した第１認証情報と記憶部５３で記憶しているいずれかの第２認証情報とが一致するか否かを判定する（Ｓ５０５）。第１認証情報と第２認証情報とが一致する場合は（Ｓ５０５：ＹＥＳ）、ＣＰＵ５１は、記憶部５３で記憶している画像データを読み出し、通信部５４に、画像データを画像処理装置１へ送信させる（Ｓ５０６）。このとき、ＣＰＵ５１は、第１認証情報と一致した第２認証情報に関連付けて記憶部５３に記憶している画像データを読み出すこととしてもよい。画像処理装置１は、画像データをＮＩＣ２３４で受信し（Ｓ５０７）、メインＣＰＵ２１１は、受信した画像データを画像メモリ２１６に記憶させる（Ｓ５０８）。
【００６６】
ステップＳ５０５で第１認証情報と記憶部５３で記憶している第２認証情報とが一致しない場合は（Ｓ５０５：ＮＯ）、ＣＰＵ５１は、第１認証情報と第２認証情報とが一致しないことを示す判定結果を、通信部５４に画像処理装置１へ送信させる（Ｓ５０９）。画像処理装置１は、判定結果をＮＩＣ２３４で受信し（Ｓ５１０）、メインＣＰＵ２１１は、受信した判定結果に従って、画像データの読み出しができないことを示すエラーメッセージを操作パネル２２０の表示部に表示する（Ｓ５１１）。
【００６７】
画像処理装置１は、以上で画像データ読み出しの処理を終了する。画像処理装置１は、使用者が操作パネル２２０を操作することによって入力される指示に従って、画像メモリ２１６に記憶した画像データを用いて各種の画像処理を実行する。例えば、画像処理装置１は、読み出した画像データに基づいて画像を形成する処理、画像データを記憶機器３に記憶させる処理、又は画像データを任意のＰＣ４へ送信する処理を行う。
【００６８】
以上詳述した如く、本実施の形態においては、画像処理装置１は、画像データを記憶機器３に記憶させようとして記憶ができない場合に、記憶機器３を認証する第１認証情報を認証サーバ装置５へ送信する。認証サーバ装置５は、画像処理装置１から受信した第１認証情報と記憶している第２認証情報とが一致するか否かを判定し、第１認証情報と第２認証情報とが一致する場合に、画像処理装置１は認証サーバ装置５へ画像データを送信し、認証サーバ装置５は画像データを記憶する。また本実施の形態においては、画像処理装置１は、第１認証情報と一致する第２認証情報が認証する認証サーバ装置５から画像データを読み出す。
【００６９】
本実施の形態においても、記憶機器３の記憶容量が不足して画像データを記憶できない場合に、使用者による煩雑な操作を必要とせずに画像データが認証サーバ装置５へ転送されるので、画像処理装置１の操作性が向上する。また画像データを取り出す際には、記憶機器３を接続するだけで認証サーバ装置５から画像データを取り出すことができるので、記憶された画像データを手軽に利用することができる。
【００７０】
なお本発明の情報処理システムは、実施の形態２及び３を組み合わせた処理を行う形態であってもよい。即ち、情報処理システムは、記憶部２１５を認証する第２認証情報及びＰＣ４を認証する第２認証情報のいずれもが第１認証情報とは一致しない場合に、ステップＳ４０６以降の処理を実行する形態であってもよい。また本発明の情報処理システムは、実施の形態１で用いた転送先情報を用いた処理を行う形態であってもよい。即ち、この形態では、認証サーバ装置５を示す転送先情報を記憶機器３が記憶している場合に、本発明の情報処理システムはステップＳ４０６以降の処理を実行する。
【００７１】
なお、以上の実施の形態２及び３においては、第１認証情報と第２認証情報とが一致するか否かに基づいて第１認証情報と第２認証情報との対応を判定する処理を示したが、対応を判定する方法はこれに限るものではない。即ち、本発明においては、暗号化されたデータである第１認証情報を復号鍵である第２認証情報で正当に復号できるか否かを判定する等、その他の方法で第１認証情報と第２認証情報とが正当に対応するか否かを判定する処理を行ってもよい。
【００７２】
また以上の実施の形態１〜３においては、記憶機器３の記憶容量が不足した場合に画像データを転送する処理を行う形態を示したが、本発明においては、記憶機器３が故障した場合等、その他の原因で記憶機器３が画像データを記憶できない場合でも画像データを転送する処理を行ってもよい。
【００７３】
また以上の実施の形態１〜３においては、画像処理装置１は、原稿画像の複写、画像データに基づいた画像の形成、及び画像の読み取りを実行することができる複合機であるとしたが、これに限るものではない。例えば、画像処理装置１は、更にファクシミリの機能を備えた複合機であってもよい。また画像処理装置１は、画像の読み取りを主に行うスキャナ装置であってもよい。この形態の場合でも、記憶機器３を装着する機能があれば、本発明を実現することは可能である。
【００７４】
また以上の実施の形態１〜３においては、記憶機器３はＵＳＢメモリであるとしたが、これに限るものではなく、本発明は、記憶機器３として、半導体メモリ又はハードディスク等の記憶手段を有するノートＰＣ、ストレージ装置、ＰＤＡ、又は携帯電話機等、接続部２３１に接続可能なその他の機器を用いることも可能である。また以上の実施の形態１〜３においては、本発明における記憶媒体として記憶機器３を用いる形態を示したが、これに限るものではなく、本発明は、記憶媒体としてメモリカード、磁気ディスク又は光ディスク等、その他の記憶媒体を用いる形態であってもよい。この形態の場合は、画像処理装置１は、メモリカード用のスロット等、記憶媒体を装着するための手段を備えた構成となる。
【図面の簡単な説明】
【００７５】
【図１】本発明の情報処理装置である画像処理装置の内部構成を示す構成図である。
【図２】実施の形態１に係る画像処理装置の電気的構成を示すブロック図である。
【図３】検出部の動作を説明するための説明図である。
【図４】記憶機器の内部構成を示すブロック図である。
【図５】実施の形態１に係る画像処理装置が行う画像データ転送の処理の手順を示すフローチャートである。
【図６】実施の形態２に係る記憶機器の内部構成を示すブロック図である。
【図７】実施の形態２に係る画像処理装置の電気的構成を示すブロック図である。
【図８】ＰＣの内部構成を示すブロック図である。
【図９】実施の形態２に係る画像処理装置が行う画像データ転送の処理の手順を示すフローチャートである。
【図１０】実施の形態２に係る画像処理装置が行う画像データ読み出しの処理の手順を示すフローチャートである。
【図１１】実施の形態３に係る本発明の情報処理システムの構成を示すブロック図である。
【図１２】実施の形態３に係る情報処理システムが行う画像データ転送の処理の手順を示すフローチャートである。
【図１３】実施の形態３に係る情報処理システムが行う画像データ読み出しの処理の手順を示すフローチャートである。
【符号の説明】
【００７６】
１  画像処理装置（情報処理装置）
１１０  画像読み取り部
１２０  画像形成部
２１１  メインＣＰＵ
２１３  ＲＯＭ
２１５  記憶部
２２０  操作パネル
２３１  接続部
２３４  ＮＩＣ
３  記憶機器（記憶媒体）
４  ＰＣ（記憶装置）
５  認証サーバ装置（記憶装置）
５１  ＣＰＵ
５４  通信部
【図１】
0004343240.tif 000002
【図２】
0004343240.tif 000003
【図３】
0004343240.tif 000004
【図４】
0004343240.tif 000005
【図５】
0004343240.tif 000006
【図６】
0004343240.tif 000007
【図７】
0004343240.tif 000008
【図８】
0004343240.tif 000009
【図９】
0004343240.tif 000010
【図１０】
0004343240.tif 000011
【図１１】
0004343240.tif 000012
【図１２】
0004343240.tif 000013
【図１３】
0004343240.tif 000014